(57)【要約】      （修正有）【課題】デジタルデータを外部に送出できるメモリカードを提供する。【解決手段】装置のデジタルデータを独立して外部へ送出できない内蔵プロセッサを有する装置において使用されるためのメモリカード２００において、デジタルデータは装置により捕捉され、メモリカードは装置からのデータの送出を制御するように構成された中央プロセッサ２０２と、中央プロセッサに動作可能に接続され送出されるデータを記憶するように構成されている記憶モジュール２０６と、記憶モジュールからデジタルデータを送出するように構成され中央プロセッサとメモリのいずれか一方に動作可能に接続されている無線モジュール２０４とを具備している。【選択図】図３
2015007994.tif 000002
【特許請求の範囲】
【請求項１】
装置のデジタルデータを独立して外部へ送出できない内蔵プロセッサを有する装置において使用されるためのメモリカードにおいて、前記デジタルデータは前記装置により捕捉され、前記メモリカードは前記装置からのデータの送出を制御するように構成された中央プロセッサと、中央プロセッサに動作可能に接続され送出されるデータを記憶するように構成されている記憶モジュールと、前記記憶モジュールから前記デジタルデータを送出するように構成され前記中央プロセッサと前記メモリの一方に動作可能に接続されている無線モジュールとを具備しているメモリカード。
【請求項２】
前記メモリカードは前記装置と物理的及び動作的に結合し関係し、動作的に前記内蔵プロセッサと接続するように構成され、前記動作的接続は通常のメモリカードと同じ方法であり、前記内蔵プロセッサは前記メモリカードを通常のメモリカードとして扱う請求項１記載のメモリカード。
【請求項３】
前記装置の少なくとも１つの制御ボタンは、物理的及び動作的に前記装置と結合し関係する前記メモリカードが予め規定されたモードにあるときに前記中央プロセッサを制御するために使用されることができる請求項１または２記載のメモリカード。
【請求項４】
前記デジタルデータの送出は前記装置が予め規定されたモードにあるときのみ行われることができる請求項３記載のメモリカード。
【請求項５】
前記装置が予め規定されたモードにあるとき、前記中央プロセッサは前記装置のスクリーン上で第１のインデックス画像ファイルを表示するために前記第１のインデックス画像ファイルを前記内蔵プロセッサへ送信するように構成され、前記第１の画像インデックスファイルは複数の第１のメニューアイテムを含み、各前記複数の第１のメニューアイテムは画像を含んでいる請求項３または４記載のメモリカード。
【請求項６】
選択される前記第１のメニューアイテムは前記内蔵プロセッサが前記デジタルデータを処理するために使用されるかまたは前記プロセッサと前記無線モジュールが前記メモリカードから前記デジタルデータを無線で送出するために使用されるかを決定する請求項５記載のメモリカード。
【請求項７】
前記デジタルデータは画像データ、オーディオデータ、画像及びオーディオデータ、ビデオデータ、オーディオ及びビデオデータからなるグループから選択される請求項１乃至６のいずれか１項記載のメモリカード。
【請求項８】
前記メモリカードは前記プロセッサと前記無線インターフェースが前記デジタルデータを送信する少なくとも１つのアドレスを含んでいる請求項１乃至７のいずれか１項記載のメモリカード。
【請求項９】
前記装置はデジタルカメラ、デジタルビデオカメラ、デジタル音声レコーダ、デジタルダイアリからなるグループから選択される請求項１乃至８のいずれか１項記載のメモリカード。
【請求項１０】
装置のデータを独立して外部へ送出できない内蔵プロセッサを有する装置からデータを送出する方法において、
前記装置の予め定められたモードを選択し、
前記装置にインストールされ動作的に接続されているメモリカードから前記装置へ第１のインデックス画像ファイルを送信し、前記メモリカードは中央プロセッサと記憶モジュールと無線モジュールとを有し、前記第１のインデックス画像ファイルは複数の第１のメニューアイテムを含み、各前記第１のメニューアイテムは画像を含み、前記記憶モジュールはそこに記憶されているデジタルデータを有し、
前記第１のメニューアイテムから１つのメニューアイテムを選択するために前記装置の制御ボタンを使用し、
選択された前記１つのメニューアイテムは、前記内蔵プロセッサが前記デジタルデータを処理するために使用されるかまたは前記中央プロセッサと前記無線モジュールが前記メモリカードから前記デジタルデータを無線で送出するために使用されるかを決定するステップを含んでいる方法。
【請求項１１】
装置のデータを独立して外部へ送出できない内蔵プロセッサを有する装置からデータを送出する方法において、
前記装置を使用してデジタルデータを捕捉し、前記装置中にインストールされ動作的に接続されているメモリカード中に前記デジタルデータを記憶し、前記メモリカードは中央プロセッサとメモリモジュールと無線モジュールとを有し、
前記装置の予め定められたモードを選択し、
前記中央プロセッサは第１のインデックス画像ファイルを前記メモリカードから装置へ送信し、前記第１のインデックス画像ファイルは複数の第１のメニューアイテムを含み、
前記複数の第１のメニューアイテムから１つのメニューアイテムを選択するために前記装置の制御ボタンを使用し、
適切なメニューアイテムが選択されているとき、前記中央プロセッサと前記無線モジュールは前記メモリカードから前記デジタルデータを無線で送出するステップを含んでいる方法。
【請求項１２】
適切なメニューアイテムが選択されているとき、前記中央プロセッサ及び無線モジュールは前記メモリカードから前記デジタルデータを無線で送出する請求項１０記載の方法。
【請求項１３】
前記メモリカードは前記装置と物理的及び動作的に結合し関係しており、前記メモリカードは通常のメモリカードと同じ方法で動作的に前記内蔵プロセッサと接続し、前記内蔵プロセッサは前記メモリカードを通常のメモリカードとして扱う請求項１０乃至１２のいずれか１項記載の方法。
【請求項１４】
前記装置の前記制御ボタンは、前記装置が予め定められたモードにあるときのみ前記中央プロセッサを制御するために使用されることができる請求項１０乃至１３のいずれか１項記載の方法。
【請求項１５】
前記デジタルデータの送出は前記装置が前記予め定められたモードにあるときのみ行われることができる請求項１０乃至１４のいずれか１項記載の方法。
【請求項１６】
前記第１のインデックス画像ファイルは前記装置のスクリーン上に表示される請求項１０乃至１５のいずれか１項記載の方法。
【請求項１７】
前記デジタルデータは、画像データ、オーディオデータ、画像及びオーディオデータ、ビデオデータ、オーディオ及びビデオデータからなるグループから選択される請求項１０乃至１６のいずれか１項記載の方法。
【請求項１８】
前記デジタルデータは、前記メモリ中に記憶されている少なくとも１つのインターネットアドレスに送出される請求項１０乃至１７のいずれか１項記載の方法。
【請求項１９】
前記装置は、デジタルカメラ、デジタルビデオカメラ、デジタル音声レコーダ、デジタルダイアリからなるグループから選択される請求項１０乃至１８のいずれか１項記載の方法。
【請求項２０】
前記制御ボタンが前記第１のメニューアイテムの１つのメニューアイテムを選択するために使用されるとき、前記内蔵プロセッサは前記中央プロセッサへ命令を送信し、前記命令は前記１つのメニューアイテムの識別子を含んでいる請求項１０乃至１９のいずれか１項記載の方法。
【請求項２１】
前記装置が前記予め定められたモードであり、前記１つのメニューアイテムが前記メモリカードの前記デジタルデータの前記無線送出で関係するとき、前記中央プロセッサは前記命令を「選択」として扱うことができる請求項２０記載の方法。
【請求項２２】
前記命令は「削除」である請求項２１記載の方法。
【発明の詳細な説明】
【技術分野】
【０００１】
本発明は無線デジタルコンテンツの管理のための方法及び装置に関し、特に装置が無線で通信することを可能にする無線媒体を使用する方法及び装置に関するがそれに限定されない。
【背景技術】
【０００２】
例えばデジタルカメラ、デジタルビデオカメラ、デジタル音声レコーダ、デジタルダイアリ、パーソナルデジタルアシスタント、デジタルオーガナイザ、デジタルメディアプレーヤ、ＭＰ３プレーヤのような多くのポータブル電子装置はデジタルコンテンツのダウンロードとアップロードを可能にするためホストコンピュータに物理的及び電気的に接続されなければならない。デジタルコンテンツは例えば画像、ビデオ画像、売買品、音楽コンテンツ等であることができる。アップロードとダウンロードを管理し制御するアプリケーションはホストコンピュータ中に存在する。これは常に便利ではない。
【０００３】
その理由は装置によって捕捉されるデジタルデータを独立して送出することができないプロセッサを電子装置が有するためである。ポータブル装置はホストコンピュータが装置により捕捉されたデジタルデータを受け入れ、ホストコンピュータがホストコンピュータから電子装置へデジタルデータを送出することができるようにホストコンピュータとの接続を必要とする。全ての関連する機能では、ホストコンピュータはプロセスを制御する。例えばデジタルカメラ（静止又はビデオ）は通常デジタルカメラにより捕捉されるデジタルデータがコンピュータへアップロードされるようにホストコンピュータへの接続を必要とする。代わりにデジタルカメラのメモリカード又は類似の不揮発性メモリは取り出され、メモリカードに記憶されるデジタルデータがホストコンピュータへアップロードされるようにホストコンピュータへ挿入される。ホストコンピュータのメモリに記憶されると、デジタルデータはウェブサイトにアップロードされることができる。例えば個人的な写真の記憶を可能にするウェブサイトが多数存在し、“ＦａｃｅＢｏｏｋ”およびＵ−Ｔｕｂｅ”は多くの例のうちの２つである。これはアップロードを行うためにホストコンピュータへアクセスすることを必要とする。これは常に便利であるとは限らない。
【発明の概要】
【０００４】
例示的な特徴によれば、装置のデジタルデータを独立して外部へ送出できない内蔵プロセッサを有する装置において使用されるためのメモリカードが提供され、デジタルデータは装置により捕捉され、メモリカードは装置からのデータの送出を制御するように構成された中央プロセッサと、中央プロセッサに動作可能に接続され送出されるデータを記憶するように構成されている記憶モジュールと、記憶モジュールからデジタルデータを送出するように構成され、中央プロセッサとメモリの一方に動作可能に接続されている無線モジュールとを具備している。
【０００５】
メモリカードは装置と物理的及び動作的に結合し、関係し、動作的に内蔵プロセッサと接続するように構成されることができ、動作的接続は通常のメモリカードと同じ方法であり、内蔵プロセッサはメモリカードを通常のメモリカードとして扱う。装置の少なくとも１つの制御ボタンは、物理的及び動作的に装置と結合し関係するメモリカードが予め規定されたモードにあるときに中央プロセッサを制御するために使用されることができる。デジタルデータの送出は装置が予め規定されたモードにあるときのみ行われることができる。装置が予め規定されたモードにあるとき、中央プロセッサは装置のスクリーン上で第１のインデックス画像ファイルを表示するために第１のインデックス画像ファイルを内蔵プロセッサへ送信するように構成されることができ、第１の画像インデックスファイルは複数の第１のメニューアイテムを含み、各複数の第１のメニューアイテムは画像を含んでいる。選択される第１のメニューアイテムは内蔵プロセッサがデジタルデータを処理するために使用されるか、またはプロセッサと無線モジュールがメモリカードからデジタルデータを無線で送出するために使用されるか否かを決定できる。デジタルデータは画像データ、オーディオデータ、画像及びオーディオデータ、ビデオデータ、オーディオ及びビデオデータから選択されることができる。メモリカードはプロセッサと無線インターフェースがデジタルデータを送信する少なくとも１つのアドレスを含むことができる。装置はデジタルカメラ、デジタルビデオカメラ、デジタル音声レコーダ、デジタルダイアリから選択されることができる。
【０００６】
別の例示的な特徴によれば、装置のデジタルデータを独立して外部へ送出できない内蔵プロセッサを有する装置からデータを送出する方法が提供され、この方法は、
前記装置の予め定められたモードを選択し、
前記装置にインストールされ動作的に接続されるメモリカードから前記装置へ第１のインデックス画像ファイルを送信し、前記メモリカードは中央プロセッサと記憶モジュールと無線モジュールとを有し、前記第１のインデックス画像ファイルは複数の第１のメニューアイテムを含み、各前記第１のメニューアイテムは画像を含み、前記記憶モジュールはそこに記憶されているデジタルデータを有し、
前記装置の制御ボタンを使用して前記第１のメニューアイテムから１つのメニューアイテムを選択し、
選択された前記１つのメニューアイテムは、前記内蔵プロセッサが前記デジタルデータを処理するために使用されるか、または前記中央プロセッサと前記無線モジュールが前記メモリカードから前記デジタルデータを無線で送出するために使用されるかを決定するステップを含んでいる。
【０００７】
さらに別の例示的な特徴によれば、前記装置のデータを独立して外部へ送出できない内蔵プロセッサを有する装置からデータを送出する方法が提供され、その方法は、
前記装置を使用してデジタルデータを捕捉し、前記デジタルデータを前記装置にインストールされ動作的に接続されているメモリカード中に記憶し、メモリカードは中央プロセッサ、メモリモジュール、無線モジュールを有し、
前記装置の予め規定されたモードを選択し、
前記中央プロセッサは前記メモリカードから前記装置へ第１のインデックス画像ファイルを送信し、その第１のインデックス画像ファイルは複数の第１のメニューアイテムを含んでおり、
前記複数の第１のメニューアイテムから１つのメニューアイテムを選択するために前記装置の制御ボタンを使用し、
適切なメニューアイテムが選択されるとき、中央プロセッサ及び無線モジュールはデジタルデータをメモリカードから無線で送出するステップを含んでいる。
【０００８】
適切なメニューアイテムが選択されるとき、中央プロセッサ及び無線モジュールはメモリカードからデジタルデータを無線で送出することができる。メモリカードは装置と物理的及び動作的に結合し関係することができ、メモリカードは通常のメモリカードと同じ方法で動作的に内蔵プロセッサと接続し、内蔵プロセッサはメモリカードを通常のメモリカードとして扱う。装置の制御ボタンは、装置が予め規定されたモードにあるときにのみ中央プロセッサを制御するために使用されることができる。デジタルデータの送出は装置が予め規定されたモードにあるときのみ行われることができる。第１のインデックス画像ファイルは装置のスクリーン上に表示される。デジタルデータは画像データ、オーディオデータ、画像及びオーディオデータ、ビデオデータ、オーディオ及びビデオデータから選択されることができる。デジタルデータはメモリに記憶されている少なくとも１つのインターネットアドレスに送出されることができる。装置はデジタルカメラ、デジタルビデオカメラ、デジタル音声レコーダ、デジタルダイアリから選択されることができる。制御ボタンが第１のメニューアイテムの１つのメニューアイテムを選択するために使用されるとき、内蔵プロセッサは中央プロセッサへ命令を送信でき、命令は１つのメニューアイテムの識別子を含んでいる。装置が予め定められたモードであり、１つのメニューアイテムがメモリカードのデジタルデータの無線送出で関係するとき、中央プロセッサは命令を「選択」として扱うことができる。その命令は「削除」とすることができる。
【図面の簡単な説明】
【０００９】
【図１】ホスト装置から捕捉されたデータがサーバへ無線で転送されることができるようにホスト装置へ接続可能な無線媒体の例示的なシステムの概略図である。
【図２】図１の例示的なシステムを示すブロック図である。
【図３】図１の無線媒体を示す図である。
【図４】図１のホスト装置のプロセッサを示す図である。
【図５】図１乃至４の例示的な実施形態の動作のフローチャートである。
【発明を実施するための形態】
【００１０】
本発明が十分に理解され容易に実施されるように、限定ではない例によって例示的な実施形態のみを説明し、説明を添付図面を参照して行う。  
例示的な実施形態は無線媒体を介してポータブル装置100のデジタルコンテンツを管理するための方法及び装置である。ポータブル装置100はデジタルカメラ、デジタルビデオカメラ、デジタル音声レコーダ、またはデジタルダイアリであってもよい。示されているのはデジタルカメラである。デジタルカメラ100はメモリカード200が通常の方法で挿入されるスロット102を有している。
【００１１】
メモリカード200が図３に示されており、中央プロセッサ202と、中央プロセッサ202に動作可能に接続されている無線モジュール204と、中央プロセッサ202に動作的に接続されている記憶モジュール206とを有している。中央プロセッサ202はカードインターフェース208および無線インターフェース210を有している。無線モジュール204はまたアンテナ212も有している。
【００１２】
デジタルカメラ100はスロット102に挿入されるときにメモリカード200とインターフェースするためのカードインターフェース106を備えた内蔵プロセッサ104を有している。内蔵プロセッサ104はまたカメラ100のディスプレイスクリーン110を制御するためのディスプレイインターフェース108を有している。さらに内蔵プロセッサ104はカメラ制御ボタン等114がカメラ100の動作を制御するために使用されることができることを可能にするための制御インターフェース112を有している。内蔵プロセッサ104はカメラ100のデジタルデータを独立して外部に送出することができない。独立して送出するということは、カメラからコンピュータへのデータの送出を可能にする関連する動作ソフトウェアを有しているコンピュータのようなインテリジェントホストへ動作的に接続されるカメラ100をプロセッサ104が必要とし、送出はコンピュータの制御下にあることを意味している。カメラ100の通常の動作は内蔵プロセッサ104の制御下にある。
【００１３】
カードインターフェース208によって、メモリカード200がカメラ100のスロット102に結合されるとき（500）はいつでも、カードインターフェース106は通常のメモリカードとしてメモリカード200を扱い、内蔵プロセッサ104からメモリカード200へ画像および／またはオーディオデータを転送するために通常の方法でそれとインターフェースする（501）。カード200がカメラ100により認識されるカテゴリではないならば、通常の方法でエラーメッセージを表示し、プロセスは終了する（502）。
【００１４】
内蔵プロセッサ104とカード200との間の初期接続が行われると、カメラ制御が例えば「観察」（または例えば「再生」または「表示」或いは「データ転送」のようなその等価モード）のような予め定められたモードに設定される（503）とき、内蔵プロセッサ104は通常の動作にしたがってディスプレイ110で表示されるための第１の画像ファイルをカード200からダウンロードする。中央プロセッサ202はその後第１のメニューを含んだインデックス画像ファイルをディスプレイインターフェース108へ送信し（504）、制御114のナビゲーション制御は表示されるメニューを制御するための通常の方法で使用されることができる。第１のメニューはカメラ100の将来の性能を決定するための一連の第１のアイテムを含んでいる。第１のメニューの各アイテムはインデックス画像ファイル内の別々の画像である。第１のメニューアイテムは例えば、
１．転送データ、
２．無線検出、
３．観察画像を含むことができる。
【００１５】
ステップ503で、カメラ100が予め定められたモード、即ち「観察」或いはその等価モードに設定されないならば、メモリカード200と内蔵プロセッサ104は通常の知られた方法で内蔵プロセッサ104の動作下で動作する（505）。
【００１６】
カメラ100が予め定められたモードに設定されているならば、表示されたアイテムの１つがその後選択される（506）。メニュー中の各アイテムは別々の画像であるので、メニューリスト中の１つのアイテムの選択は別々の画像の選択である。それ故、使用される制御114によって、プロセッサ104は命令を制御プロセッサ202へ送信できる。観察モードでは「次」（次の画像を送信）と「削除」（この画像を削除）の２つのこのような命令が通常存在する。「次」が後続する動作で必要とされるので、「削除」機能が使用される。しかしながら、カメラ100が「観察」モードにあり、「データ転送」または「無線検出」が前述の第１のメニューアイテムから選択されるならば、中央プロセッサ202は「削除」を「選択」として解釈する。「第１の画像の送信」命令がプロセッサ104により送信され、メモリカード制御プロセッサ202により受信されるならば（504）、中央プロセッサ202はこれがこのような命令が受信される唯一の時間であるので、カメラ100が「観察」モードにあることを認識する。
【００１７】
第１の各メニューアイテムが別々の画像であるので、「削除」の使用はプロセッサ104から中央プロセッサ202へ送信される命令だけではなく、命令は中央プロセッサ202が削除される画像を知ることを可能にする画像の識別子を含んでいる。
【００１８】
中央プロセッサ202は命令を受信し、予め定められたモードが選択されていることと、選択された画像が画像インデックスファイルからの（１）または（２）であることを確認した後、中央プロセッサ202は「削除」命令を「選択」として扱う。
【００１９】
中央プロセッサ202はその後、第１のメニューアイテム１または第１のメニューアイテム２のいずれが選択されたかにしたがって必要な措置を取る。
【００２０】
選択された第１のメニューアイテムが無線転送のものであるかを決定するための問合せが行われる（509）。ノーであるならば、アイテム３に相違ない。アイテム３が制御114を使用して通常の方法で選択されるならば（507）、中央プロセッサ202は通常の方法で命令を扱い、第１の画像ファイルを記憶モジュール206から送信し（508）、カメラ100及びメモリカード200は通常の方法で動作を続ける（505）。509で、選択された第１のメニューアイテムが無線転送であるならば、これはアイテム１またはアイテム２である可能性がある。それ故、アイテム１又はアイテム２が選択されたかを決定する第２の問合せが行われる（510）。
【００２１】
510で、アイテム２が選択されると、中央プロセッサ202は無線モジュール204をアクティブにし（511）、カード200が接続されることができる潜在的な無線ネットワークについての検索が行われる（512）。これは通常の方法である。全ての潜在的な無線ネットワークが検出されると（513）それらはディスプレイ110に表示され（514）、制御114が所望の無線ネットワークを選択するために使用される（515）。所望の無線ネットワークが選択されると、第２のインデックス画像ファイルが中央プロセッサ202からディスプレイ110へダウンロードされる（516）。第２のインデックス画像ファイルは第２のメニューリストを含んでいる（517）。第２のインデックス画像ファイルは第１のインデックス画像ファイルと同じであってもよく、或いは異なってもよい。第２の各メニューリストは別々の画像でもあり、その固有の識別子を有する。
【００２２】
第２のメニューリストは第１のメニューリストと同じであってもよく、或いは異なってもよい。第２のメニューリストは例えば、
１．転送データ、
２．無線検出、
３．観察画像のようなアイテムを含むことができる。
【００２３】
510で、アイテム１が第１のメニューリストから選択されるならば、中央プロセッサ202は無線ネットワークが既に選択されたか否かを決定する（521）。ノーであるならば、アイテム２に戻り（510）、前述したように潜在的な無線ネットワークの検索を開始する。無線ネットワークが既に選択されているならば、中央プロセッサ202は種々の画像ファイルの画像データを逐次的に獲得し（522）、無線モジュール204を使用して画像データを選択された予め定められたウェブサイトへアップロードする（523）。アップロードが終了すると、「完了」メッセージがディスプレイ110上に表示され（524）、プロセスは終了する（525）。
【００２４】
アイテム１が第２のメニューリストから選択されるならば（518）、および予め定められたウェブサイトが知られネットワークが丁度選択されるとき、中央プロセッサ202は記憶モジュール206から全ての画像ファイルをダウンロードし、それらを無線モジュール204へ転送して予め定められたウェブサイトへ画像データを無線でアップロードする動作を開始する。２以上の予め定められたウェブサイトが存在するならば、中央プロセッサ202はディスプレイ110上で表示するための予め定められたウェブサイトのリストを送信し、通常の方法で１つが選択された後、画像データが送信される選択された予め定められたウェブサイトを使用する。予め定められたウェブサイトのリストはそれらのＵＲＬにより、または先に入力された略された名称によるものであってもよく、ウェブサイトにおけるｅメールアカウントを含むことができる。
【００２５】
予め定められたウェブサイトのエントリはメモリカード200をコンピュータ（図示せず）へ動作的に接続することによるものである。コンピュータは中央プロセッサ202から必要なインターフェースをアップロードし、コンピュータは所望のウェブサイトまたは複数のウェブサイト或いはｅメールアカウントのＵＲＬに入るために使用され、これはメモリカード200の記憶モジュール206に記憶されている。
【００２６】
このようにしてカメラ100は通常の方法でメモリカード200の記憶モジュール206中に記憶されている画像を捕捉するために使用されるとき、カメラの制御装置114が観察のような予め定められたモードに設定されているとき、前述の手順が開始される。カメラ100が予め定められたモードにあるとき、中央プロセッサ202及び無線モジュール204はインターフェース300によって画像データを選択された予め定められたウェブサイトへ送信するように動作し、それによって画像はサーバ／ＰＣまたはその他のコンピュータ400の記憶装置402に記憶されることができる。これは例えば夜間等のカメラ100が通常使用されていないときのような都合のよい時間に行われることができる。
【００２７】
所望又は必要とされるならば、全ての画像データのアップロードが完了されるとき、中央プロセッサ202は記憶モジュール206に記憶されるとき画像データを圧縮又は縮小することができる。圧縮は任意の既知又は適切な圧縮応用によるものであってもよい。縮小は画像を例えば親指サイズに縮小することであってもよい。圧縮および／または減少は画像データの記憶に必要とされる記憶モジュール206中のメモリ量を減少するために使用される。任意の圧縮および／または減少された画像は注記され予め選択されたウェブサイトに再送信される。さらに予め選択されたウェブサイトに送信される任意の画像は送信されたとしてフラグされることができ、将来再送信されない。しかしながら中央プロセッサは古い画像が再度送信されるか、或いは新しい先に送信されていない画像だけが送信されるか尋ねるプロンプトをディスプレイへ送信できる。選択が通常の方法で行われた後に、中央プロセッサ202により適切な行為が行われる。
【００２８】
認められるように、メモリカード200は任意のドライバのインストールまたはホスト装置100で作動するソフトウェアの変更なしにホスト装置100へ接続することができ、従って、「プラグアンドプレイ」である。
【００２９】
メモリカード200はメモリカード200の記憶モジュール206へダウンロードされるコンテンツの著作権保護のためのデジタル権管理モジュールを含むことができる。
【００３０】
前述の説明は例示的な実施形態を説明したが、当業者は設計、構造および／または動作の詳細についての多くの変更が本発明の技術的範囲を逸脱せずに行われることができることを理解するであろう。
【図１】
2015007994.tif 000003
【図２】
2015007994.tif 000004
【図３】
2015007994.tif 000005
【図４】
2015007994.tif 000006
【図５】
2015007994.tif 000007
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
装置のデジタルデータを独立して外部へ送出できない内蔵プロセッサを有する装置において使用されるためのメモリカードにおいて、前記デジタルデータは前記装置により捕捉され、前記メモリカードは前記装置からのデータの送出を制御するように構成された中央プロセッサと、中央プロセッサに動作可能に接続され送出されるデータを記憶するように構成されている記憶モジュールと、前記記憶モジュールから前記デジタルデータを送出するように構成され前記中央プロセッサと前記メモリの一方に動作可能に接続されている無線モジュールとを具備しているメモリカード。
【手続補正２】
【補正対象書類名】明細書
【補正対象項目名】００３０
【補正方法】変更
【補正の内容】
【００３０】
前述の説明は例示的な実施形態を説明したが、当業者は設計、構造および／または動作の詳細についての多くの変更が本発明の技術的範囲を逸脱せずに行われることができることを理解するであろう。
以下に、本願出願時の特許請求の範囲に記載された発明を付記する。
［１］装置のデジタルデータを独立して外部へ送出できない内蔵プロセッサを有する装置において使用されるためのメモリカードにおいて、前記デジタルデータは前記装置により捕捉され、前記メモリカードは前記装置からのデータの送出を制御するように構成された中央プロセッサと、中央プロセッサに動作可能に接続され送出されるデータを記憶するように構成されている記憶モジュールと、前記記憶モジュールから前記デジタルデータを送出するように構成され前記中央プロセッサと前記メモリの一方に動作可能に接続されている無線モジュールとを具備しているメモリカード。
［２］前記メモリカードは前記装置と物理的及び動作的に結合し関係し、動作的に前記内蔵プロセッサと接続するように構成され、前記動作的接続は通常のメモリカードと同じ方法であり、前記内蔵プロセッサは前記メモリカードを通常のメモリカードとして扱う［１］記載のメモリカード。
［３］前記装置の少なくとも１つの制御ボタンは、物理的及び動作的に前記装置と結合し関係する前記メモリカードが予め規定されたモードにあるときに前記中央プロセッサを制御するために使用されることができる［１］または［２］記載のメモリカード。
［４］前記デジタルデータの送出は前記装置が予め規定されたモードにあるときのみ行われることができる［３］記載のメモリカード。
［５］前記装置が予め規定されたモードにあるとき、前記中央プロセッサは前記装置のスクリーン上で第１のインデックス画像ファイルを表示するために前記第１のインデックス画像ファイルを前記内蔵プロセッサへ送信するように構成され、前記第１の画像インデックスファイルは複数の第１のメニューアイテムを含み、各前記複数の第１のメニューアイテムは画像を含んでいる［３］または［４］記載のメモリカード。
［６］選択される前記第１のメニューアイテムは前記内蔵プロセッサが前記デジタルデータを処理するために使用されるかまたは前記プロセッサと前記無線モジュールが前記メモリカードから前記デジタルデータを無線で送出するために使用されるかを決定する［５］記載のメモリカード。
［７］前記デジタルデータは画像データ、オーディオデータ、画像及びオーディオデータ、ビデオデータ、オーディオ及びビデオデータからなるグループから選択される［１］乃至［６］のいずれか１項記載のメモリカード。
［８］前記メモリカードは前記プロセッサと前記無線インターフェースが前記デジタルデータを送信する少なくとも１つのアドレスを含んでいる［１］乃至［７］のいずれか１項記載のメモリカード。
［９］前記装置はデジタルカメラ、デジタルビデオカメラ、デジタル音声レコーダ、デジタルダイアリからなるグループから選択される［１］乃至［８］のいずれか１項記載のメモリカード。
［１０］装置のデータを独立して外部へ送出できない内蔵プロセッサを有する装置からデータを送出する方法において、
前記装置の予め定められたモードを選択し、
前記装置にインストールされ動作的に接続されているメモリカードから前記装置へ第１のインデックス画像ファイルを送信し、前記メモリカードは中央プロセッサと記憶モジュールと無線モジュールとを有し、前記第１のインデックス画像ファイルは複数の第１のメニューアイテムを含み、各前記第１のメニューアイテムは画像を含み、前記記憶モジュールはそこに記憶されているデジタルデータを有し、
前記第１のメニューアイテムから１つのメニューアイテムを選択するために前記装置の制御ボタンを使用し、
選択された前記１つのメニューアイテムは、前記内蔵プロセッサが前記デジタルデータを処理するために使用されるかまたは前記中央プロセッサと前記無線モジュールが前記メモリカードから前記デジタルデータを無線で送出するために使用されるかを決定するステップを含んでいる方法。
［１１］装置のデータを独立して外部へ送出できない内蔵プロセッサを有する装置からデータを送出する方法において、
前記装置を使用してデジタルデータを捕捉し、前記装置中にインストールされ動作的に接続されているメモリカード中に前記デジタルデータを記憶し、前記メモリカードは中央プロセッサとメモリモジュールと無線モジュールとを有し、
前記装置の予め定められたモードを選択し、
前記中央プロセッサは第１のインデックス画像ファイルを前記メモリカードから装置へ送信し、前記第１のインデックス画像ファイルは複数の第１のメニューアイテムを含み、
前記複数の第１のメニューアイテムから１つのメニューアイテムを選択するために前記装置の制御ボタンを使用し、
適切なメニューアイテムが選択されているとき、前記中央プロセッサと前記無線モジュールは前記メモリカードから前記デジタルデータを無線で送出するステップを含んでいる方法。
［１２］適切なメニューアイテムが選択されているとき、前記中央プロセッサ及び無線モジュールは前記メモリカードから前記デジタルデータを無線で送出する［１０］記載の方法。
［１３］前記メモリカードは前記装置と物理的及び動作的に結合し関係しており、前記メモリカードは通常のメモリカードと同じ方法で動作的に前記内蔵プロセッサと接続し、前記内蔵プロセッサは前記メモリカードを通常のメモリカードとして扱う［１０］乃至［１２］のいずれか１項記載の方法。
［１４］前記装置の前記制御ボタンは、前記装置が予め定められたモードにあるときのみ前記中央プロセッサを制御するために使用されることができる［１０］乃至［１３］のいずれか１項記載の方法。
［１５］前記デジタルデータの送出は前記装置が前記予め定められたモードにあるときのみ行われることができる［１０］乃至［１４］のいずれか１項記載の方法。
［１６］前記第１のインデックス画像ファイルは前記装置のスクリーン上に表示される［１０］乃至［１５］のいずれか１項記載の方法。
［１７］前記デジタルデータは、画像データ、オーディオデータ、画像及びオーディオデータ、ビデオデータ、オーディオ及びビデオデータからなるグループから選択される［１０］乃至［１６］のいずれか１項記載の方法。
［１８］前記デジタルデータは、前記メモリ中に記憶されている少なくとも１つのインターネットアドレスに送出される［１０］乃至［１７］のいずれか１項記載の方法。
［１９］前記装置は、デジタルカメラ、デジタルビデオカメラ、デジタル音声レコーダ、デジタルダイアリからなるグループから選択される［１０］乃至［１８］のいずれか１項記載の方法。
［２０］前記制御ボタンが前記第１のメニューアイテムの１つのメニューアイテムを選択するために使用されるとき、前記内蔵プロセッサは前記中央プロセッサへ命令を送信し、前記命令は前記１つのメニューアイテムの識別子を含んでいる［１０］乃至［１９］のいずれか１項記載の方法。
［２１］前記装置が前記予め定められたモードであり、前記１つのメニューアイテムが前記メモリカードの前記デジタルデータの前記無線送出で関係するとき、前記中央プロセッサは前記命令を「選択」として扱うことができる［２０］記載の方法。
［２２］前記命令は「削除」である［２１］記載の方法。
【外国語明細書】
2015007994000001.pdf